(57)【要約】【課題】基地局の通信可能圏外に在る端末による端末間直接通信において、端末が基地局の代わりに端末間の同期処理などを実施する場合に、受信側の端末が通信相手を基地局であるか端末であるかを区別することを図る。【解決手段】基地局１を介して端末２間で通信可能な無線通信システムにおいて、基地局１を識別するセル識別子に利用可能な番号に対して、端末間直接通信を行う端末２を識別する端末間直接通信用セル識別子に使用する番号を設け、基地局１は、端末間直接通信用セル識別子の情報を記憶し、端末間直接通信用セル識別子の情報を端末２へ送信する。端末２は、端末間直接通信用セル識別子の情報を基地局１から受信して記憶し、通信相手から受信したセル識別子が端末間直接通信用セル識別子の情報で示される端末間直接通信用セル識別子に該当する場合に、端末間直接通信の処理を実行する。【選択図】図１
2015035713.tif 000002
【特許請求の範囲】
【請求項１】
無線基地局装置を介して無線端末装置間で通信可能な無線通信システムの前記無線基地局装置において、
前記無線基地局装置を識別するセル識別子に利用可能な番号に対して、無線端末装置間の直接通信である端末間直接通信を行う無線端末装置を識別する端末間直接通信用セル識別子に使用する番号を設け、
前記端末間直接通信用セル識別子の情報を記憶するセル識別子情報記憶部と、
前記端末間直接通信用セル識別子の情報を無線端末装置へ送信する無線部と、
を備えたことを特徴とする無線基地局装置。
【請求項２】
前記端末間直接通信用セル識別子は、前記無線基地局装置を識別するセル識別子に利用可能な番号のうち未定義の番号であることを特徴とする請求項１に記載の無線基地局装置。
【請求項３】
前記端末間直接通信用セル識別子は、前記無線基地局装置を識別するセル識別子に利用可能な番号のうち、前記端末間直接通信用セル識別子として定義し直された一部の番号であることを特徴とする請求項１に記載の無線基地局装置。
【請求項４】
無線基地局装置を介して無線端末装置間で通信可能な無線通信システムの前記無線端末装置において、
無線端末装置間の直接通信である端末間直接通信を行う無線端末装置を識別する端末間直接通信用セル識別子の情報を前記無線基地局装置から受信し、通信相手からセル識別子を受信する無線部と、
前記無線部により受信された端末間直接通信用セル識別子の情報を記憶する端末間直接通信情報記憶部と、
前記無線部により受信されたセル識別子が前記端末間直接通信情報記憶部に記憶される端末間直接通信用セル識別子の情報で示される端末間直接通信用セル識別子に該当する場合に、前記端末間直接通信の処理を実行する端末間直接通信制御部と、
を備えたことを特徴とする無線端末装置。
【請求項５】
無線基地局装置を介して無線端末装置間で通信可能な無線通信システムの前記無線端末装置において、
前記無線基地局装置を識別するセル識別子に利用可能な番号に対して、無線端末装置間の直接通信である端末間直接通信を行う無線端末装置を識別する端末間直接通信用セル識別子に使用する番号を設け、
通信相手からセル識別子を受信する無線部と、
前記端末間直接通信用セル識別子の情報を記憶する端末間直接通信情報記憶部と、
前記無線部により受信されたセル識別子が前記端末間直接通信情報記憶部に記憶される端末間直接通信用セル識別子の情報で示される端末間直接通信用セル識別子に該当する場合に、前記端末間直接通信の処理を実行する端末間直接通信制御部と、
を備えたことを特徴とする無線端末装置。
【請求項６】
前記端末間直接通信制御部は、自無線端末装置が前記無線基地局装置と接続されていない場合において、前記無線部により受信されたセル識別子が前記端末間直接通信情報記憶部に記憶される端末間直接通信用セル識別子の情報で示される端末間直接通信用セル識別子に該当しないときに、前記無線基地局装置との同期処理を開始することを特徴とする請求項４または５に記載の無線端末装置。
【請求項７】
前記端末間直接通信制御部は、前記無線基地局装置との同期処理を実行した後に、前記端末間直接通信の相手との同期処理を開始することを特徴とする請求項６に記載の無線端末装置。
【請求項８】
前記端末間直接通信制御部は、前記無線基地局装置との同期処理を開始することを事前に前記端末間直接通信の相手に通知することを特徴とする請求項７に記載の無線端末装置。
【請求項９】
自無線端末装置が前記無線基地局装置の通信可能圏内に在る場合において、前記無線部により受信されたセル識別子が前記端末間直接通信情報記憶部に記憶される端末間直接通信用セル識別子の情報で示される端末間直接通信用セル識別子に該当しないときに、セル選択の処理またはハンドオーバの処理を開始することを特徴とする請求項４から８のいずれか１項に記載の無線端末装置。
【請求項１０】
請求項１に記載の無線基地局装置と、請求項４に記載の無線端末装置とを有する無線通信システム。
【請求項１１】
無線基地局装置を介して無線端末装置間で通信可能な無線通信システムの前記無線基地局装置において、
ブロードキャスト信号に対して、無線基地局装置であるか又は端末間直接通信を行う無線端末装置であるかを区別する情報を格納する部分を設け、
無線基地局装置であることを示す情報を格納した前記ブロードキャスト信号を送信する無線部を備えたことを特徴とする無線基地局装置。
【請求項１２】
無線基地局装置を介して無線端末装置間で通信可能な無線通信システムの前記無線端末装置において、
ブロードキャスト信号に対して、無線基地局装置であるか又は端末間直接通信を行う無線端末装置であるかを区別する情報を格納する部分を設け、
端末間直接通信を行う無線端末装置であることを示す情報を格納した前記ブロードキャスト信号を送信する無線部を備えたことを特徴とする無線端末装置。
【請求項１３】
無線基地局装置を介して無線端末装置間で通信可能な無線通信システムの前記無線基地局装置における端末間直接通信制御方法であって、
前記無線基地局装置を識別するセル識別子に利用可能な番号に対して、無線端末装置間の直接通信である端末間直接通信を行う無線端末装置を識別する端末間直接通信用セル識別子に使用する番号を設け、
前記無線基地局装置が、前記端末間直接通信用セル識別子の情報をセル識別子情報記憶部に記憶するステップと、
前記無線基地局装置が、前記端末間直接通信用セル識別子の情報を無線端末装置へ送信するステップと、
を含むことを特徴とする端末間直接通信制御方法。
【請求項１４】
無線基地局装置を介して無線端末装置間で通信可能な無線通信システムの前記無線端末装置における端末間直接通信制御方法であって、
前記無線端末装置が、無線端末装置間の直接通信である端末間直接通信を行う無線端末装置を識別する端末間直接通信用セル識別子の情報を前記無線基地局装置から受信するステップと、
前記無線端末装置が、前記受信された端末間直接通信用セル識別子の情報を端末間直接通信情報記憶部に記憶するステップと、
前記無線端末装置が、通信相手からセル識別子を受信するステップと、
前記無線端末装置が、前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、
を含むことを特徴とする端末間直接通信制御方法。
【請求項１５】
無線基地局装置を介して無線端末装置間で通信可能な無線通信システムの前記無線端末装置における端末間直接通信制御方法であって、
前記無線基地局装置を識別するセル識別子に利用可能な番号に対して、無線端末装置間の直接通信である端末間直接通信を行う無線端末装置を識別する端末間直接通信用セル識別子に使用する番号を設け、
前記無線端末装置が、前記端末間直接通信用セル識別子の情報を端末間直接通信情報記憶部に記憶するステップと、
前記無線端末装置が、通信相手からセル識別子を受信するステップと、
前記無線端末装置が、前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、
を含むことを特徴とする端末間直接通信制御方法。
【請求項１６】
無線基地局装置を介して無線端末装置間で通信可能な無線通信システムの前記無線基地局装置における端末間直接通信制御処理を行うためのコンピュータプログラムであって、
前記無線基地局装置を識別するセル識別子に利用可能な番号に対して、無線端末装置間の直接通信である端末間直接通信を行う無線端末装置を識別する端末間直接通信用セル識別子に使用する番号を設け、
前記端末間直接通信用セル識別子の情報をセル識別子情報記憶部に記憶するステップと、
前記端末間直接通信用セル識別子の情報を無線端末装置へ送信するステップと、
をコンピュータに実行させるためのコンピュータプログラム。
【請求項１７】
無線基地局装置を介して無線端末装置間で通信可能な無線通信システムの前記無線端末装置における端末間直接通信制御処理を行うためのコンピュータプログラムであって、
無線端末装置間の直接通信である端末間直接通信を行う無線端末装置を識別する端末間直接通信用セル識別子の情報を前記無線基地局装置から受信するステップと、
前記受信された端末間直接通信用セル識別子の情報を端末間直接通信情報記憶部に記憶するステップと、
通信相手からセル識別子を受信するステップと、
前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、
をコンピュータに実行させるためのコンピュータプログラム。
【請求項１８】
無線基地局装置を介して無線端末装置間で通信可能な無線通信システムの前記無線端末装置における端末間直接通信制御処理を行うためのコンピュータプログラムであって、
前記無線基地局装置を識別するセル識別子に利用可能な番号に対して、無線端末装置間の直接通信である端末間直接通信を行う無線端末装置を識別する端末間直接通信用セル識別子に使用する番号を設け、
前記端末間直接通信用セル識別子の情報を端末間直接通信情報記憶部に記憶するステップと、
通信相手からセル識別子を受信するステップと、
前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、
をコンピュータに実行させるためのコンピュータプログラム。
【発明の詳細な説明】
【技術分野】
【０００１】
本発明は、無線基地局装置、無線端末装置、無線通信システム、端末間直接通信制御方法およびコンピュータプログラム
【背景技術】
【０００２】
近年、基地局を介して端末間で通信可能なセルラーシステムにおいて、該端末間で直接通信（端末間直接通信）を行う技術が検討されている。例えば、３ＧＰＰ（3rd Generation Partnership Project）で標準化作業が進められているＬＴＥアドバンスト（LTE-Advanced）と呼ばれるＬＴＥ（Long Term Evolution）の後継のシステムにおいて、端末間直接通信が検討されている（例えば、非特許文献１参照）。端末間直接通信として、基地局の通信可能圏内に在る端末が行う場合と、基地局の通信可能圏外に在る端末が行う場合とが検討されている。
【先行技術文献】
【非特許文献】
【０００３】
【非特許文献１】3GPP, Study on LTE Device to Device Proximity Services, RP122009, インターネット＜ＵＲＬ：http://www.3gpp.org＞
【非特許文献２】3GPP, TS36.304, v11.4.0, Jun. 2013
【非特許文献３】3GPP, TS36.300, v11.6.0, Jun. 2013
【発明の概要】
【発明が解決しようとする課題】
【０００４】
基地局の通信可能圏外に在る端末による端末間直接通信では、基地局からのシグナリングを受信することができないので、端末が基地局の代わりに端末間の同期処理などを実施する必要がある。このとき、受信側の端末は現在通信している相手が基地局なのか端末なのかを区別できない、という課題がある。
【０００５】
本発明は、このような事情を考慮してなされたもので、基地局の通信可能圏外に在る端末による端末間直接通信において、端末が基地局の代わりに端末間の同期処理などを実施する場合に、受信側の端末が通信相手を基地局であるか端末であるかを区別できることを課題とする。
【課題を解決するための手段】
【０００６】
（１）本発明に係る無線基地局装置は、無線基地局装置を介して無線端末装置間で通信可能な無線通信システムの前記無線基地局装置において、前記無線基地局装置を識別するセル識別子に利用可能な番号に対して、無線端末装置間の直接通信である端末間直接通信を行う無線端末装置を識別する端末間直接通信用セル識別子に使用する番号を設け、前記端末間直接通信用セル識別子の情報を記憶するセル識別子情報記憶部と、前記端末間直接通信用セル識別子の情報を無線端末装置へ送信する無線部と、を備えたことを特徴とする。
【０００７】
（２）本発明に係る無線基地局装置においては、上記（１）の無線基地局装置において、前記端末間直接通信用セル識別子は、前記無線基地局装置を識別するセル識別子に利用可能な番号のうち未定義の番号であることを特徴とする。
【０００８】
（３）本発明に係る無線基地局装置においては、上記（１）の無線基地局装置において、前記端末間直接通信用セル識別子は、前記無線基地局装置を識別するセル識別子に利用可能な番号のうち、前記端末間直接通信用セル識別子として定義し直された一部の番号であることを特徴とする。
【０００９】
（４）本発明に係る無線端末装置は、無線基地局装置を介して無線端末装置間で通信可能な無線通信システムの前記無線端末装置において、無線端末装置間の直接通信である端末間直接通信を行う無線端末装置を識別する端末間直接通信用セル識別子の情報を前記無線基地局装置から受信し、通信相手からセル識別子を受信する無線部と、前記無線部により受信された端末間直接通信用セル識別子の情報を記憶する端末間直接通信情報記憶部と、前記無線部により受信されたセル識別子が前記端末間直接通信情報記憶部に記憶される端末間直接通信用セル識別子の情報で示される端末間直接通信用セル識別子に該当する場合に、前記端末間直接通信の処理を実行する端末間直接通信制御部と、を備えたことを特徴とする。
【００１０】
（５）本発明に係る無線端末装置は、無線基地局装置を介して無線端末装置間で通信可能な無線通信システムの前記無線端末装置において、前記無線基地局装置を識別するセル識別子に利用可能な番号に対して、無線端末装置間の直接通信である端末間直接通信を行う無線端末装置を識別する端末間直接通信用セル識別子に使用する番号を設け、通信相手からセル識別子を受信する無線部と、前記端末間直接通信用セル識別子の情報を記憶する端末間直接通信情報記憶部と、前記無線部により受信されたセル識別子が前記端末間直接通信情報記憶部に記憶される端末間直接通信用セル識別子の情報で示される端末間直接通信用セル識別子に該当する場合に、前記端末間直接通信の処理を実行する端末間直接通信制御部と、を備えたことを特徴とする。
【００１１】
（６）本発明に係る無線端末装置においては、上記（４）または（５）の無線端末装置において、前記端末間直接通信制御部は、自無線端末装置が前記無線基地局装置と接続されていない場合において、前記無線部により受信されたセル識別子が前記端末間直接通信情報記憶部に記憶される端末間直接通信用セル識別子の情報で示される端末間直接通信用セル識別子に該当しないときに、前記無線基地局装置との同期処理を開始することを特徴とする。
【００１２】
（７）本発明に係る無線端末装置においては、上記（６）の無線端末装置において、前記端末間直接通信制御部は、前記無線基地局装置との同期処理を実行した後に、前記端末間直接通信の相手との同期処理を開始することを特徴とする。
【００１３】
（８）本発明に係る無線端末装置においては、上記（７）の無線端末装置において、前記端末間直接通信制御部は、前記無線基地局装置との同期処理を開始することを事前に前記端末間直接通信の相手に通知することを特徴とする。
【００１４】
（９）本発明に係る無線端末装置においては、上記（４）から（８）のいずれかの無線端末装置において、自無線端末装置が前記無線基地局装置の通信可能圏内に在る場合において、前記無線部により受信されたセル識別子が前記端末間直接通信情報記憶部に記憶される端末間直接通信用セル識別子の情報で示される端末間直接通信用セル識別子に該当しないときに、セル選択の処理またはハンドオーバの処理を開始することを特徴とする。
【００１５】
（１０）本発明に係る無線通信システムは、上記（１）の無線基地局装置と、上記（４）の無線端末装置とを有する。
【００１６】
（１１）本発明に係る無線基地局装置は、無線基地局装置を介して無線端末装置間で通信可能な無線通信システムの前記無線基地局装置において、ブロードキャスト信号に対して、無線基地局装置であるか又は端末間直接通信を行う無線端末装置であるかを区別する情報を格納する部分を設け、無線基地局装置であることを示す情報を格納した前記ブロードキャスト信号を送信する無線部を備えたことを特徴とする。
【００１７】
（１２）本発明に係る無線端末装置は、無線基地局装置を介して無線端末装置間で通信可能な無線通信システムの前記無線端末装置において、ブロードキャスト信号に対して、無線基地局装置であるか又は端末間直接通信を行う無線端末装置であるかを区別する情報を格納する部分を設け、端末間直接通信を行う無線端末装置であることを示す情報を格納した前記ブロードキャスト信号を送信する無線部を備えたことを特徴とする。
【００１８】
（１３）本発明に係る端末間直接通信制御方法は、無線基地局装置を介して無線端末装置間で通信可能な無線通信システムの前記無線基地局装置における端末間直接通信制御方法であって、前記無線基地局装置を識別するセル識別子に利用可能な番号に対して、無線端末装置間の直接通信である端末間直接通信を行う無線端末装置を識別する端末間直接通信用セル識別子に使用する番号を設け、前記無線基地局装置が、前記端末間直接通信用セル識別子の情報をセル識別子情報記憶部に記憶するステップと、前記無線基地局装置が、前記端末間直接通信用セル識別子の情報を無線端末装置へ送信するステップと、を含むことを特徴とする。
【００１９】
（１４）本発明に係る端末間直接通信制御方法は、無線基地局装置を介して無線端末装置間で通信可能な無線通信システムの前記無線端末装置における端末間直接通信制御方法であって、前記無線端末装置が、無線端末装置間の直接通信である端末間直接通信を行う無線端末装置を識別する端末間直接通信用セル識別子の情報を前記無線基地局装置から受信するステップと、前記無線端末装置が、前記受信された端末間直接通信用セル識別子の情報を端末間直接通信情報記憶部に記憶するステップと、前記無線端末装置が、通信相手からセル識別子を受信するステップと、前記無線端末装置が、前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、を含むことを特徴とする。
【００２０】
（１５）本発明に係る端末間直接通信制御方法は、無線基地局装置を介して無線端末装置間で通信可能な無線通信システムの前記無線端末装置における端末間直接通信制御方法であって、前記無線基地局装置を識別するセル識別子に利用可能な番号に対して、無線端末装置間の直接通信である端末間直接通信を行う無線端末装置を識別する端末間直接通信用セル識別子に使用する番号を設け、前記無線端末装置が、前記端末間直接通信用セル識別子の情報を端末間直接通信情報記憶部に記憶するステップと、前記無線端末装置が、通信相手からセル識別子を受信するステップと、前記無線端末装置が、前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、を含むことを特徴とする。
【００２１】
（１６）本発明に係るコンピュータプログラムは、無線基地局装置を介して無線端末装置間で通信可能な無線通信システムの前記無線基地局装置における端末間直接通信制御処理を行うためのコンピュータプログラムであって、前記無線基地局装置を識別するセル識別子に利用可能な番号に対して、無線端末装置間の直接通信である端末間直接通信を行う無線端末装置を識別する端末間直接通信用セル識別子に使用する番号を設け、前記端末間直接通信用セル識別子の情報をセル識別子情報記憶部に記憶するステップと、前記端末間直接通信用セル識別子の情報を無線端末装置へ送信するステップと、をコンピュータに実行させるためのコンピュータプログラムであることを特徴とする。
【００２２】
（１７）本発明に係るコンピュータプログラムは、無線基地局装置を介して無線端末装置間で通信可能な無線通信システムの前記無線端末装置における端末間直接通信制御処理を行うためのコンピュータプログラムであって、無線端末装置間の直接通信である端末間直接通信を行う無線端末装置を識別する端末間直接通信用セル識別子の情報を前記無線基地局装置から受信するステップと、前記受信された端末間直接通信用セル識別子の情報を端末間直接通信情報記憶部に記憶するステップと、通信相手からセル識別子を受信するステップと、前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、をコンピュータに実行させるためのコンピュータプログラムであることを特徴とする。
【００２３】
（１８）本発明に係るコンピュータプログラムは、無線基地局装置を介して無線端末装置間で通信可能な無線通信システムの前記無線端末装置における端末間直接通信制御処理を行うためのコンピュータプログラムであって、前記無線基地局装置を識別するセル識別子に利用可能な番号に対して、無線端末装置間の直接通信である端末間直接通信を行う無線端末装置を識別する端末間直接通信用セル識別子に使用する番号を設け、前記端末間直接通信用セル識別子の情報を端末間直接通信情報記憶部に記憶するステップと、通信相手からセル識別子を受信するステップと、前記受信されたセル識別子が前記端末間直接通信情報記憶部に記憶される端末間直接通信用セル識別子の情報で示される端末間直接通信用セル識別子に該当する場合に、前記端末間直接通信の処理を実行するステップと、をコンピュータに実行させるためのコンピュータプログラムであることを特徴とする。
【発明の効果】
【００２４】
本発明によれば、基地局の通信可能圏外に在る端末による端末間直接通信において、端末が基地局の代わりに端末間の同期処理などを実施する場合に、受信側の端末が通信相手を基地局であるか端末であるかを区別することができるという効果が得られる。
【図面の簡単な説明】
【００２５】
【図１】本発明の一実施形態に係る無線通信システムの構成を説明するための概略構成図である。
【図２】本発明の一実施形態に係る基地局１の構成を示すブロック図である。
【図３】本発明の一実施形態に係る端末２の構成を示すブロック図である。
【図４】本発明の一実施形態に係る端末間直接通信用セル識別子（Ｄ２Ｄ通信用ＰＣＩ）の例を示す図表である。
【図５】本発明の一実施形態に係る端末間直接通信制御処理を説明するためのシーケンスチャートである。
【図６】本発明の一実施形態に係る端末２の端末間直接通信制御処理を示すフローチャートである。
【図７】本発明の一実施形態に係る端末２の他の端末間直接通信制御処理を示すフローチャートである。
【発明を実施するための形態】
【００２６】
以下、図面を参照し、本発明の実施形態について説明する。なお、以下の説明において、端末間直接通信のことをＤ２Ｄ通信と称する場合がある。
図１は、本発明の一実施形態に係る無線通信システムの構成を説明するための概略構成図である。本実施形態に係る無線通信システムは、無線基地局装置（以下、基地局と称する）を介して無線端末装置（以下、端末と称する）間で通信可能である。本実施形態に係る無線通信システムとしては、例えば、セルラーシステムが挙げられる。
【００２７】
図１には、基地局１と、該基地局１との通信可能圏内で端末間直接通信を行う送信側の端末２−１ｓおよび受信側の端末２−１ｒが示されている。また、基地局１との通信可能圏外で端末間直接通信を行う送信側の端末２−２ｓおよび受信側の端末２−２ｒが示されている。以下、各端末２−１ｓ，２−１ｒ，２−２ｓ，２−２ｒを特に区別しないときは「端末２」と称する。
【００２８】
図１において、基地局１の通信可能圏内に在る端末２は基地局１との間で直接にデータを送受可能である。一方、基地局１の通信可能圏外に在る端末２は基地局１との間で直接にはデータを送受できない。基地局１の通信可能圏外に在る端末２は、基地局１の通信可能圏内に在る端末２から送信された信号を受信できる。また、基地局１の通信可能圏内に在る端末２は、基地局１の通信可能圏外に在る端末２から送信された信号を受信できる。
【００２９】
図２は、本実施形態に係る基地局１の構成を示すブロック図である。図３は、本実施形態に係る端末２の構成を示すブロック図である。図２及び図３には、端末間直接通信に係る構成のみを示している。
【００３０】
図２において、基地局１は、無線部１０と端末間直接通信制御部１１とＰＣＩ情報記憶部１２を有する。無線部１０は、自己の通信可能圏内に在る端末２と無線通信を行う。端末間直接通信制御部１１は端末間直接通信の制御を行う。
【００３１】
ＰＣＩ情報記憶部１２は、端末間直接通信用セル識別子の情報を記憶する。端末間直接通信用セル識別子は、端末間直接通信を行う端末２を識別する情報である。端末間直接通信を行う端末２は、端末間直接通信用セル識別子を端末間直接通信の相手に送信する。端末間直接通信用セル識別子を受信した端末２は、該端末間直接通信用セル識別子を送信した通信相手が端末であることを認識する。
【００３２】
端末間直接通信用セル識別子の例１、例２を以下に挙げる。これら例１、例２では、基地局１を識別するセル識別子（Physical Cell Identity：ＰＣＩ）に利用可能な番号に対して、端末間直接通信を行う端末２を識別する端末間直接通信用セル識別子に使用する番号を設ける。
【００３３】
（端末間直接通信用セル識別子の例１）ＰＣＩのうち未定義の番号を、端末間直接通信用セル識別子として使用する。図４は、本実施形態に係る端末間直接通信用セル識別子（Ｄ２Ｄ通信用ＰＣＩ）の例を示す図表である。図４には、ＬＴＥ規格の無線通信システム（ＬＴＥシステム）に適用する場合のＤ２Ｄ通信用ＰＣＩの例を示している。ＬＴＥシステムでは、０から５０３までの番号が基地局を識別するＰＣＩとして定義済みである。このため、未定義の５０４以上の番号を端末間直接通信用セル識別子として定義している。さらに、図４の例では、端末間直接通信用セル識別子を用途別に定義している。
【００３４】
（端末間直接通信用セル識別子の例２）基地局１を識別するＰＣＩのうち、一部の番号を端末間直接通信用セル識別子として使用する。例えば、ＬＴＥシステムでは、０から５０３までの番号が基地局を識別するＰＣＩとして定義済みであるが、０から５０３までの番号のうち一部の番号を端末間直接通信用セル識別子として定義し直す。
【００３５】
なお、上記した端末間直接通信用セル識別子の例１、例２は、単独で使用されてもよく、又は、複数が組み合わされて使用されてもよい。
【００３６】
ＰＣＩ情報記憶部１２には、Ｄ２Ｄ通信用ＰＣＩの情報（Ｄ２Ｄ通信用ＰＣＩ情報）が記憶される。Ｄ２Ｄ通信用ＰＣＩ情報は、Ｄ２Ｄ通信用ＰＣＩを判別するための情報である。Ｄ２Ｄ通信用ＰＣＩ情報の例として、Ｄ２Ｄ通信用ＰＣＩの取り得る番号の範囲を示す情報が挙げられる。以下に、図４のＤ２Ｄ通信用ＰＣＩに関するＤ２Ｄ通信用ＰＣＩ情報の例を示す。
【００３７】
・max_PCI_for_PS：Public safety用のＤ２Ｄ通信用ＰＣＩの最大値。
・min_PCI_for_PS：Public safety用のＤ２Ｄ通信用ＰＣＩの最小値。
・max_PCI_for_VV：テレマティクス用のＤ２Ｄ通信用ＰＣＩの最大値。
・min_PCI_for_VV：テレマティクス用のＤ２Ｄ通信用ＰＣＩの最小値。
・max_PCI_for_CS：一般用のＤ２Ｄ通信用ＰＣＩの最大値。
・min_PCI_for_CS：一般用のＤ２Ｄ通信用ＰＣＩの最小値。
【００３８】
図３において、端末２は、無線部２０と端末間直接通信制御部２１と端末間直接通信情報記憶部２２を有する。無線部２０は、基地局１と無線通信を行う。また、無線部２０は、端末間直接通信の相手と無線通信を行う。また、無線部２０は、自端末２が基地局１の通信可能圏内に在る場合に、基地局１の通信可能圏外に在る端末２から送信された信号を受信したり、基地局１の通信可能圏外に在る端末２に向けた信号を送信したりする。また、無線部２０は、自端末２が基地局１の通信可能圏外に在る場合に、基地局１の通信可能圏内に在る端末２から送信された信号を受信する。
【００３９】
端末間直接通信制御部２１は端末間直接通信を制御する。端末間直接通信情報記憶部２２は、端末間直接通信に関する情報を記憶する。端末間直接通信情報記憶部２２には、端末間直接通信に関する情報の一つとしてＤ２Ｄ通信用ＰＣＩ情報が記憶される。
【００４０】
端末間直接通信制御部２１は、自端末２が基地局１の通信可能圏外に在る場合に、端末間直接通信の相手に対して、Ｄ２Ｄ通信用ＰＣＩを送信する。この送信されるＤ２Ｄ通信用ＰＣＩの選択方法として、利用可能なＤ２Ｄ通信用ＰＣＩの中から、無作為に選択する、または、周辺でＤ２Ｄ通信に使用されているＤ２Ｄ通信用ＰＣＩと異なるものを選択する、などが挙げられる。利用可能なＤ２Ｄ通信用ＰＣＩは、端末間直接通信情報記憶部２２に記憶されるＤ２Ｄ通信用ＰＣＩ情報で示される。
【００４１】
基地局１の通信可能圏外に在る端末２は、端末間直接通信の相手からＤ２Ｄ通信用ＰＣＩを受信することにより、当該通信相手が端末２であることを認識する。これにより、基地局１の通信可能圏外に在る端末２による端末間直接通信において、端末２が基地局１の代わりに端末間の同期処理などを実施する場合に、受信側の端末２が通信相手を基地局１であるか端末２であるかを区別することができる。
【００４２】
次に、図５、図６、図７を参照して、本実施形態に係る基地局１および端末２の動作を説明する。
【００４３】
まず、図５を参照して基地局１の動作を説明する。図５は、本実施形態に係る端末間直接通信制御処理を説明するためのシーケンスチャートである。
（ステップＳ１００）基地局１は、ＰＣＩ情報記憶部１２に記憶されているＤ２Ｄ通信用ＰＣＩ情報を端末２へ通知する。
【００４４】
（ステップＳ１０１）端末２は、基地局１からＤ２Ｄ通信用ＰＣＩ情報の通知を受信すると、該Ｄ２Ｄ通信用ＰＣＩ情報を端末間直接通信情報記憶部２２に記憶する。これにより、当該端末２は、Ｄ２Ｄ通信用ＰＣＩ情報に基づいて、Ｄ２Ｄ通信用ＰＣＩを判別できる。
【００４５】
なお、基地局１がＤ２Ｄ通信用ＰＣＩ情報を通知する相手として、例えば、Ｄ２Ｄ通信の「Discovery」機能の受信を行っている端末２が挙げられる。
【００４６】
また、図５の例では、基地局１から端末２に対してＤ２Ｄ通信用ＰＣＩ情報を通知したが、予め（例えば、端末の製造段階や販売段階などに）端末２にＤ２Ｄ通信用ＰＣＩ情報を設定するようにしてもよい。
【００４７】
次に、図６を参照して端末２の動作を説明する。図６は、本実施形態に係る端末２の端末間直接通信制御処理を示すフローチャートである。
【００４８】
端末２は、基地局１と接続されていない場合に、図６の端末間直接通信制御処理を実行する。
（ステップＳ１１）端末間直接通信制御部２１は、無線部２０により通信相手から受信したＰＣＩがＤ２Ｄ通信用ＰＣＩであるか否かを判断する。この判断では、端末間直接通信制御部２１は、通信相手から受信したＰＣＩが端末間直接通信情報記憶部２２に記憶されるＤ２Ｄ通信用ＰＣＩ情報で示されるＤ２Ｄ通信用ＰＣＩに該当する場合に、該受信したＰＣＩがＤ２Ｄ通信用ＰＣＩであると判断する。この結果、Ｄ２Ｄ通信用ＰＣＩである場合にはステップＳ１２に進み、Ｄ２Ｄ通信用ＰＣＩでない場合にはステップＳ１３に進む。
【００４９】
（ステップＳ１２）端末間直接通信制御部２１は、通信相手から受信したＰＣＩがＤ２Ｄ通信用ＰＣＩであるので、当該通信相手が端末２であることを認識する。これにより、端末間直接通信制御部２１は、当該通信相手である端末２とのＤ２Ｄ通信の処理を実行する。
【００５０】
（ステップＳ１３）端末間直接通信制御部２１は、通信相手から受信したＰＣＩがＤ２Ｄ通信用ＰＣＩでないので、当該通信相手が基地局１であることを認識する。これにより、端末間直接通信制御部２１は、Ｄ２Ｄ通信の相手である端末２に対して、基地局１との同期処理を開始することを通知する。
【００５１】
（ステップＳ１４）端末間直接通信制御部２１は、受信したＰＣＩを持つ基地局１との同期処理を開始する。
【００５２】
（ステップＳ１５）端末間直接通信制御部２１は、ステップＳ１４で開始した基地局１との同期処理が終了すると、Ｄ２Ｄ通信の相手のである端末２との同期処理を実行する。
【００５３】
次に、図７を参照して端末２の動作を説明する。図７は、本実施形態に係る端末２の他の端末間直接通信制御処理を示すフローチャートである。
【００５４】
端末２は、基地局１の通信可能圏内に在る場合に、図７の端末間直接通信制御処理を実行する。
（ステップＳ２１）端末間直接通信制御部２１は、無線部２０により通信相手から受信したＰＣＩがＤ２Ｄ通信用ＰＣＩであるか否かを判断する。この判断は、上記図６のステップＳ１１と同様である。この結果、Ｄ２Ｄ通信用ＰＣＩである場合にはステップＳ２２に進み、Ｄ２Ｄ通信用ＰＣＩでない場合にはステップＳ２３に進む。
【００５５】
（ステップＳ２２）端末間直接通信制御部２１は、通信相手から受信したＰＣＩがＤ２Ｄ通信用ＰＣＩであるので、当該通信相手が端末２であることを認識する。これにより、端末間直接通信制御部２１は、当該通信相手である端末２とのＤ２Ｄ通信の処理を実行する。
【００５６】
（ステップＳ２３）端末間直接通信制御部２１は、通信相手から受信したＰＣＩがＤ２Ｄ通信用ＰＣＩでないので、当該通信相手が基地局１であることを認識する。これにより、当該端末２は、セル選択の処理またはハンドオーバの処理を実行する。セル選択の処理およびハンドオーバの処理は、従来のセルラーシステムにおける処理である。セル選択の処理については、例えば非特許文献２に記載されている。ハンドオーバの処理については、例えば非特許文献３に記載されている。
【００５７】
なお、Ｄ２Ｄ通信の受信側の端末２は、基地局１を識別するＰＣＩ（例えば、ＬＴＥシステムにおける０から５０３までの番号のＰＣＩ）を受信した場合、該基地局１との同期を取るために、当該Ｄ２Ｄ通信の送信側の端末２へアラートを送信するようにしてもよい。
【００５８】
また、Ｄ２Ｄ通信の送信側の端末２は、基地局１を識別するＰＣＩ（例えば、ＬＴＥシステムにおける０から５０３までの番号のＰＣＩ）を受信した場合、該基地局１との同期を取り直すようにしてもよい。これにより、電波干渉を防ぐことを図る。
【００５９】
また、端末２は、基地局１の通信可能圏外に在って基地局１からのＤ２Ｄ通信用ＰＣＩ情報を受信できず、各Ｄ２Ｄ通信用ＰＣＩの用途（図４参照）が分からない場合、Ｄ２Ｄ通信用ＰＣＩ（例えば、ＬＴＥシステムにおける５０４以上の番号のＰＣＩ）の受信信号を、Ｄ２Ｄ通信を行う端末２からのブロードキャスト信号またはマルチキャスト信号であると判断するようにしてもよい。これにより、Ｄ２Ｄ通信のサービスタイプをDiscovery信号で送信しなくてもよくなるので、シグナリング量の低減の効果が得られる。
【００６０】
以上、本発明の実施形態について図面を参照して詳述してきたが、具体的な構成はこの実施形態に限られるものではなく、本発明の要旨を逸脱しない範囲の設計変更等も含まれる。
【００６１】
例えば、図１に示される無線通信システムにおいて、ブロードキャスト信号に対して、基地局１であるか又は端末間直接通信を行う端末２であるかを区別する情報を格納する部分を設ける。そして、基地局１は、基地局１であることを示す情報を格納したブロードキャスト信号を送信する無線部を備える。一方、端末２は、端末間直接通信を行う端末２であることを示す情報を格納したブロードキャスト信号を送信する無線部を備える。これにより、該ブロードキャスト信号を受信した端末２は、該ブロードキャスト信号を送信した相手が基地局１であるか端末２であるかを区別することができる。
【００６２】
端末間直接通信を行う端末２であることを示す情報として、当該端末２に対して直近に割り当てられていたC-RNTI情報を利用可能である。又は、端末間直接通信を行う端末２であることを示す情報として、当該端末間直接通信のＱｏＳ情報を利用可能である。なお、端末間直接通信を行っていない端末２は、ブロードキャスト信号に対して、該情報を付加しない。つまり、端末間直接通信を行っていない端末２は、ブロードキャスト信号において、基地局１であるか又は端末間直接通信を行う端末２であるかを区別する情報を格納する部分を空とする。
【００６３】
なお、本発明は、セルラーシステム等の無線通信システムに適用可能である。例えば、ＬＴＥ規格の無線通信システム（ＬＴＥシステム）、ＬＴＥアドバンスト規格の無線通信システム（ＬＴＥアドバンストシステム）などに本発明を適用することが挙げられる。
【００６４】
また、上述した基地局１または端末２を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【００６５】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６７】
１…基地局（無線基地局装置）、２…端末（無線端末装置）、１０…無線部、１１…端末間直接通信制御部、１２…ＰＣＩ情報記憶部、２０…無線部、２１…端末間直接通信制御部、２２…端末間直接通信情報記憶部
【図１】
2015035713.tif 000003
【図２】
2015035713.tif 000004
【図３】
2015035713.tif 000005
【図４】
2015035713.tif 000006
【図５】
2015035713.tif 000007
【図６】
2015035713.tif 000008
【図７】
2015035713.tif 000009